(57)【要約】      （修正有）【課題】机上でパソコンなどの電子機器を使用中に誤ってカップを倒すことを防止する、缶入り飲料や把手付のカップにも対応した机上用カップホルダーを提供する。【解決手段】カップホルダー本体を吸盤で机上に固着させ、スカート５でプレート部１１のバランスをとる。カップの上部と下部を保持すべく円弧状の把持アーム部９を有するため、把手付のカップにも対応する。カップをカップホルダーに挿入するとカップの背面部が、凸型レバー２を押圧し連動して四か所のヒンジ３を介して把持アーム部９が閉じ、さらにその際、把持アーム部９の上段の雄型アーム１ａと雌型アーム１ｂが嵌合しロック機能を発揮する。カップを取り出すと、カップ手前側面部が突起部８を押圧しロックを解除して円錐コイルばね７の先端部の押圧板６が凸型レバー２を押圧して把持アーム９が開くように構成している。【選択図】図１
0003199358.tif 000002
【実用新案登録請求の範囲】
【請求項１】
カップを保持する把持アーム部と、該把持アーム部を支持する支持板部と、該支持板部の最下部面と接合し一体化したプレート部とから構成されるカップホルダーであって、
前記把持アーム部は
一定の角度に折り曲げられた一対から成る骨格部材で前記支持板部の四ヶ所に具備されたヒンジで回動可能に保持され
その前面部は、上段と下段に分かれ前記カップの上部と下部を保持すべく円弧状の形状と長さを有するアームを形成し
前記把持アーム部上段部は、雄型アームと雌型アームから構成され該雄型アームと該雌型アームが嵌合するよう設け
前記把持アーム部下段部は、前記把持アーム部上段部の雄型アームと雌型アームが嵌合した時、前記把持アーム部下段部の左右の先端部が接する相当の長さを有するように設け
前記把持アーム部背面部は、中央部の左右に同一形状の凸型レバーを形成し
前記凸型レバーは、
前記カップを前記カップホルダー内に挿入すると、該カップの背面部が前記左右の凸型レバー部を押圧し前記把持アーム部上段部の前記雄型アームと前記雌型アームが完全に嵌合するように前記支持板部に対し鉛直線より左右それぞれ同角度で内側に起立した状態に設けてあり、さらにその際、前記左右の凸型レバーが重ならない程度の隙間を設けるように構成し、
前記支持板部は、前記凸型レバーの上下左右の四か所を保持する前記ヒンジを具備し
その中心部に前記凸型レバーの左右の中央部を背後から同時に押し上げる幅を有する押圧板を上部面に備えた円錐コイルばねを設け
前記プレート部は、前記カップの底面相当の大きさを有し前記支持板部と垂直に接合して一体化しその底面中心部に吸盤を設けさらに前記プレート部底面外周部に、前記吸盤を設置場所に固着させた時の、その設置面と前記プレート部底面との高さのギャップを補う多少の弾性を有するスカートを周設することを特徴とするカップホルダー。
【請求項２】
請求項１の把持アーム部前面上段部において前記雄型アーム部と前記雌型アーム部は、素材の弾性変形で係合し、
前記雄型アーム部は、一定の長さを有する先端部の上部面と下部面共に対称となる多少小刻みの波型を呈し最先端部は丸みを帯びた凸型を形成し
前記雌型アーム部は、前記雄型アームと嵌合する形状の雌型アームを形成し
前記雄型アームと前記雌型アームが嵌合してロック機能を発揮し
前記雄型アームの裏面先端部に半球状の突起部を設け該突起部に前記カップの手前側面部が接触して押圧することによりロックを解除できるように構成することを特徴とする請求項１記載のカップホルダー。
【考案の詳細な説明】
【技術分野】
【０００１】  本考案は、カップ等の飲み物の容器（以下、コップ、マグカップ、缶入り飲料等の飲み物容器に対しカップと記載する。）を誤って倒すことを防止するカップホルダーに関するものである。
【背景技術】
【０００２】  底を有した円筒状の側面に把手を設けたカップホルダーは、そのホルダー内に使い捨ての紙製やプラスチック製のカップ用い、カップとホルダーを一体化して使用するカップホルダーがある（例えば、特許文献３参照。）。【０００３】  カップの底面部から側面部中程を収容する底を有した円筒状のホルダーの、その底面下部に机やテーブルの端に設置するクリップ状の留め具を備えたカップホルダーがある。【０００４】  カップの逆円錐台形状の側面のテーパを利用してカップの胴体部が板状やリング状の環中に収まるようにしたカップホルダーがある。これらは椅子の肘掛や机やテーブルの端に設置するための留め具をそなえているものがある（例えば、特許文献２参照。）。【０００５】  カップの上部の円周部を環状のホルダーに保持しそれに着脱可能な把手を設けたカップホルダーがある。（例えば、特許文献１参照。）。【０００６】  バスなどの座席背面部に取り付けられた折りたたみ式で、カップの底面の受け皿とその側面部を保持する環状のホルダーを有したものがある（例えば、非特許文献１参照。）。【０００７】  自動車用のカップホルダーは、ペットボトルや缶入り飲料などが収容できる底面を有する円筒状のものや、カップの胴体部を環中に収めその底面の受け皿を有する板状の収納式のものなどがある。
【先行技術文献】
【特許文献】
【０００８】
【特許文献１】特開２０１５−１５７３７９号  公報
【特許文献２】特開２０００−４１８２２号  公報
【特許文献３】実開平７−３０８４７号  公報
【非特許文献】
【０００９】
【非特許文献１】意願２００３−１１５８１号  公報
【考案の概要】
【考案が解決しようとする課題】
【００１０】  近年、家庭や職場の机上でパソコンやそれに付随したメモリーなど電子機器を使用する機会が日常化している。そのため机上のパソコンなど電子機器を使用中に、飲み物が入ったカップを倒すことが使用者にとってリスク要因となる。【００１１】  使い捨てカップを使用するカップホルダーは、底を有した円筒状の容器に把手を設けカップとホルダーを一体化したものがある。それはカップを持ちやすくするためと、飲み物の温度が比較的高い時に使用されるものである。【００１２】  カップの逆円錐台型状のテーパを利用したカップホルダーは、該ホルダー部である環中にカップの胴体部を収容するため、該カップとその飲み物の重みが環中に荷重するため該カップが該環中に嵌合しやすい。そのため該カップを該環中からスムーズに取り出すことが困難でその上、その際の手の動きが上部方向のため該カップ内の飲み物をこぼす危険性がある。【００１３】  さらに前記の場合、使用されているカップの材質が薄手のときは、該カップ内の飲み物がこぼれる危険性が高まるため、該カップを該環中から取り出す際、該カップを把持する部位と力の加減に注意が必要とされる。【００１４】  底を有した円筒状のカップホルダーは、その底面部が収容するカップの底面部より大きいために、保持力に欠けるため外部からの衝撃により該カップが傾きやすく飲み物がこぼれる危険性が有る。また、同じく有底で円筒状のカップホルダーで下部にクリップ状の留め具を有したテーブルや机の端に設置するタイプがあるが、同様に該ホルダー内にカップが固定されていないため、テーブルや机に外部からの衝撃や揺れが加わった場合、該カップが傾きやすく飲み物がこぼれる危険性がある。【００１５】  マグカップは、把手があるため従来のカップホルダーではホルダー内に収め保持することが困難であった。【００１６】  従って、把手のあるカップや缶入り飲料も収納し保持して、かつカップホルダー本体を設置場所に固定して、机上用またはテーブル上で使用するカップホルダーはなかった。本考案は前述の問題点を解決しようとするもので、家庭や職場の机上やテーブル上にカップを置いて安心して飲み物を飲んで一息付ける汎用性のある倒れにくいカップホルダーを提供することを目的とするものである。
【課題を解決するための手段】
【００１７】  本考案は、以下の構成により前述の課題を解決できる。
本カップホルダーは、把持アーム部９と、該把持アーム部を支持する支持板部１０と、該支持板部の最下部面と接合し一体化したプレート部１１とから構成されるカップホルダーであって、【００１８】  前記把持アーム部９は、一定の角度に折り曲げられた一対から成る骨格部材で
前記支持板部１０の四ヶ所に具備されたヒンジ３で回動可能に保持され【００１９】  前記把持アーム部９前面部は、上段と下段に分かれ前記カップの上部と下部を保持すべく円弧状の形状と長さを有するアームを形成し【００２０】  前記把持アーム部９上段部は、雄型アーム１ａと雌型アーム１ｂから構成され該雄型アーム１ａと該雌型アーム１ｂが嵌合するよう設け【００２１】  前記把持アーム部９下段部は、前記把持アーム部９上段部の雄型アーム１ａと雌型アーム１ｂが嵌合した時、前記把持アーム部９下段部の左右の先端部が接する相当の長さを有するように設け【００２２】  前記把持アーム部９背面部は、中央部の左右に同一形状の凸型レバー２を形成し【００２３】  前記凸型レバー２は、前記カップを前記カップホルダー内に挿入すると、該カップの背面部が前記左右の凸型レバー部２を押圧し前記把持アーム部９上段部の前記雄型アーム１ａと前記雌型アーム１ｂが完全に嵌合するように前記支持板部１０に対し鉛直線より左右それぞれ同角度で内側に起立した状態に設けてあり、さらにその際、前記左右の凸型レバー２が重ならない程度の隙間を設けるように構成し、【００２４】  前記支持板部１０は、前記凸型レバー２の上下左右の四か所を保持する前記ヒンジ３を具備しその中心部に前記凸型レバー２の左右の中央部を背後から同時に押し上げる幅を有する押圧板６を上部面に備えた円錐コイルばね７を設け【００２５】  前記プレート部１１は、前記カップの底面相当の大きさを有し前記支持板部１０と垂直に接合して一体化しその底面中心部に吸盤４を設けさらに前記プレート部１１底面外周部に、前記吸盤４を設置場所に固着させた時の、その設置面と前記プレート部１１底面との高さのギャップを補う多少の弾性を有するスカート５を周設する【００２６】  前記把持アーム部９前面上段部において前記雄型アーム部１ａと前記雌型アーム部１ｂは、素材の弾性変形で係合し、【００２７】  前記雄型アーム部１ａは、一定の長さを有する先端部の上部面と下部面共に対称となる多少小刻みの波型を呈し最先端部は丸みを帯びた凸型を形成し【００２８】  前記雌型アーム部１ｂは、前記雄型アーム１ａと嵌合する形状の前記雌型アーム１ｂを形成し前記雄型アーム１ａと前記雌型アーム１ｂが嵌合してロック機能を発揮し【００２９】  前記雄型アーム１ａの裏面先端部に半球状の突起部８を設け該突起部に前記カップの手前側面部が接触して押圧することによりロックを解除できるように構成する【００３０】  従って、
１、本考案のカップホルダーは、該カップホルダー本体を設置場所に固定させるために前記プレート部１１の底面中央部に吸盤４を設けさらに、該吸盤４を設置場所に固着させた時、その固着面と前記プレート１１との高さのギャップを埋める前記プレート１１底面の外周部にスカート５を設けたことにより、前記カップホルダー本体を固定化させ前記プレート部１１に安定性を持たせたことを特徴とする。【００３１】  ２、カップの上部と下部を保持すべく円弧状の把持アーム９を形成したことにより、把手付のカップも缶入り飲料にも対応できることを特徴とする。【００３２】  ３、カップを本考案のカップホルダー内に挿入することにより、該カップの背面部が前記左右の凸型レバー２を押圧し連動して前記支持板部１０の四か所に具備したヒンジ３を介し前記保持アーム部９が閉まり前記カップを保持することを特徴とする。【００３３】  ４、さらに素材の弾性変形で係合する前記把持アーム部９上段部の雄型アーム１ａと雌型アーム１ｂが嵌合することでロック機能を発揮し前記カップを確実に保持することを特徴とする。【００３４】  ５、前記把持アーム部９の下段の左右のアーム部先端部は、前記把持アーム部９の上段の前記雄型アーム１ａと前記雌型アーム１ｂが嵌合した時に、前記把持アーム部９下段の左右の先端部が接する円周相当の長さを設けることにより前記把持アーム部９は上段部でロックが機能を発揮し下段部でも前記カップを保持することを特徴とする。【００３５】  ６、前記カップを前記カップホルダー内から取り出す際、該カップの前部側面部が前記雄型アーム１ａ先端裏面部の半球状突起部８を押圧することにより、ロック機能が解除され同時に、前記左右の凸型レバー２の背後に押圧板６を備えた円錐コイルばね７を設けたことにより、該円錐コイルばねの反発力により前記把持アーム９がスムーズに開くことができることを特徴とする。【００３６】  ７、前記カップホルダーの使用に際、前記カップの出し入れが水平方向であるため該カップ内の飲み物の液面の揺れが少なくすることができることを特徴とする。
以上により前述の課題が解決する。
【考案の効果】
【００３７】  本考案のカップホルダーを使用すれば、多少の地震の揺れや机などの衝撃にも対応できるため机上のパソコン等電子機器や書類などを保護するので、安心して飲み物を飲むことができ一息付けるリスク回避ツールでもある。
【図面の簡単な説明】
【００３８】
【図１】本考案の把持アームが開いた状態を示す概略斜視図である。
【図２】本考案の把持アームが開いた状態を示す概略平面図である。
【図３】本考案の把持アームが閉じた状態を示す斜視図である。
【図４】本考案の把持アームが閉じた状態を示す概略正面図である。
【図５】本考案を設置した状態を示す概略断面図である。
【図６】本考案の収納時の参考平面図である。
【図７】本考案の突起部が押されている段階の参考図である。
【図８】本考案の把持アームの係合が解かれた状態の参考図である。
【図９】本考案の把持アーム上段部（雄型アームと雌型アーム）の拡大図である。
【考案を実施するための形態】
【００３９】  以下、本考案の実施形態を（図１〜図９に基づいて）説明する。
本考案は、カップを保持する把持アーム部９と該把持アーム部９を支持する支持板部１０と該支持板部１０の最下部面と接合した前記カップのプレート部１１とから構成され
【実施例１】
【００４０】  図１に示すように把持アーム部９は一定の角度に折り曲げられた一対から成る骨格部材で前記支持板部１０の四ヶ所に具備されたヒンジ３で回動可能に保持されその前面部は、上段と下段に分かれ前記カップの上部と下部を保持すべく円弧状の形状と長さを有するアームを形成し、前記把持アーム部９上段部は、雄型アーム１ａと雌型アーム１ｂから構成され該雄型アーム１ａと該雌型アーム１ｂが嵌合するよう設け【００４１】  図３に示すように前記把持アーム部９下段部は、前記把持アーム部９上段部の雄型アーム１ａと雌型アーム１ｂが嵌合した時、前記把持アーム部９下段部の左右の先端部が接する相当の長さを有するように設け【００４２】  図１に示すように前記把持アーム部９背面部は、中央部の左右に同一形状の凸型レバー２を形成し、凸型レバー２は、支持板部の四隅に具備されたヒンジ３で前記把持アーム部９が回動可能に保持されている。【００４３】  図２に示すように前記凸型レバー２は、前記支持板部１０に対し鉛直線より左右それぞれ同角度で内側に起立した状態に設け、図３に示すようにさらに、前記カップを前記カップホルダー内に収容した際、前記左右の凸型レバー２が重ならない程度の空間を有するように構成することにより前記カップを前記把持アーム部９内に挿入すると該把持アーム部９の先端部が閉じ前記カップを保持する。【００４４】  前記支持板部１０は、図１に示すように前記凸型レバー２の上下左右の四か所を保持する前記ヒンジ３を四隅に具備し、図１と図２に示すようにさらにその中心部に前記の左右同一形状の前記凸型レバー２の中央部を背後から同時に押し上げる幅を有する押圧板６を上部面に備えた円錐コイルばね７を設ける事により前記カップを前記カップホルダー内から取りだす時に前記把持アーム部９がスムーズに開くようになる。【００４５】  図３に示すように前記プレート部１１は、前記カップの底面相当の大きさを有しその一端部は、前記支持板部１０の最下部と同一の長さを有し該支持板部１０と直角に接合して一体化し、図４に示すようにその底面中央部に吸盤４を設け前記カップホルダーの設置場所に固着させることにより該カップホルダーが固定化できる。【００４６】  さらに図４と図５に示すように前記プレート部１１底面外周部に、該吸盤４を設置場所に固着させた際の、その設置面と該プレート底面との高さのギャップを補う厚さ数ミリ程度のスカート５を周設し、前記カップホルダー本体が安定性を保ち前記カップ内の液面を揺らすことなく出し入れがスムーズになる。【００４７】  図１に示す把持アーム部９の上段部は、素材の弾性変形で係合するプラスチックまたは金属などの部材で構成され、図９に示すように前記把持アーム部９上段部の片側に、ある一定の長さを有する先端部の上部面と下部面共に対称となる多少小刻みの波型で先端部は丸みを帯びた凸型を呈した雄型アーム１ａを形成する。【００４８】  図９と図１に示すように前記雄型アーム１ａの他方に、前記同様の長さを有する先端部に該雄型アーム部１ａと嵌合する雌型アーム部１ｂを形成することによりロック機能を発揮し、図６に示すように前記カップが確実に前記カップホルダー内に保持される。なお、前記雄型アームの先端部は波型を鋸歯型にして雌型アームも同様にそれと嵌合する形状を形成すれば前記同様にロック機能を発揮できる。【００４９】  図３と図４に示すように前記把持アーム部９の下段の左右のアーム部先端部は、前記把持アーム部９上段部の前記雄型アーム１ａと前記雌型アーム１ｂが嵌合した時に、前記下段の左右のアーム部先端部が接する円周相当の長さを設けることにより前記把持アーム部９上段部はロック機能を発揮して下段部でも前記カップを保持することができる。【００５０】  図３と図６に示すように前記把持アーム部９上段部の前記雄型アーム１ａと前記雌型アーム１ｂが嵌合した時に、図７に示すように前記ホルダー内に挿入したカップの側面が、前記雄型アーム１ａの先端裏面部に接触する半球状の突起部８を設けることにより前記カップを前記カップホルダーから取り出す際に該カップの前面側面が前記突起部８を押圧することによりロックが解除される。【００５１】  本考案の実施例は上述の構成からなるものであるから、カップを本考案のカップホルダーに挿入することで該カップが保持され同時にロック機能が発揮される。そして、該カップを本考案のカップホルダーから取り出すと同時にロック機能が解除される。さらに以下の構成からも使用できるものである。
【実施例２】
【００５２】  本カップホルダーの支持板部１０の上部に溝を設け、机の引き出しの前面上部面に係合するハンガー状で前記カップホルダーを支持する前記溝に嵌合するつめを有する留め具を用いれば、机の引き出し前面に本考案のカップホルダーを装着して使用できる。
【実施例３】
【００５３】  本考案に本考案の把持アーム部９同様に背面部に同形状を有する凸型レバー２を設け前面部をカップの蓋を形成し一部を変更追加することで、前述に加え該カップに蓋をすることができる。【００５４】  それは、新たに蓋となる部分を以下のように設ける。把持アーム部９背面部と同形状を有凸型レバー２を背面部に設け前面部の把持アーム部をカップの蓋となるキャップに取り換え、次に前記支持板部１０上部（該カップの上部面相当となる位置）中央部左右にヒンジ３を二つ設けその背面部である凸型レバーの左右を支持する。【００５５】  前記蓋部の背面の凸型レバーは、前記支持板部１０に既に設置された左右の凸型レバー２の中央上部に設置しカップが前記カップホルダー内に挿入した際  該カップの背面側面部が前記新凸型レバーと既に設置された前記左右の凸型レバー２と合計三つの凸型レバーを同時に押圧するように前記支持板面より下向き方向の角度を設けさらに、前記新凸型レバー部にねじりばねを設ける。【００５６】  従って前述により、前記カップを前記カップホルダー内に挿入すると前記支持板部が具備する六か所のヒンジを介し、左右の前記把持アームが閉じ同時に前記キャップが前記カップに蓋をする。
前記カップホルダー内の前記カップを手前に引くと前述同様にロックが解除され押圧板を有する円錐コイルばねの応力でアームが開き、ねじりばねの反発力でキャップが持ち上がる。
【実施例４】
【００５７】  なお、本考案で使用した押圧板と円錐コイルばねを用いず、ヒンジ部にねじりばねを設けることによっても本考案と同様の効果が得らまた、前記実施例３においても同じくヒンジ部をねじりばねにすることでも同様の効果が得られる。【００５８】  本考案のカップホルダーは、家庭や職場でパソコンなど電子機器の使用が日常化した今日、それらを使用する机上やテーブル上で飲み物を飲む機会も増えた。そのため、パソコンなど電子機器類の使用中にカップを倒し飲み物をこぼすことはリスク要因となる。従って、カップを誤って倒すことを防止するカップホルダーは、リスク軽減ツールとなるものである。
【符号の説明】
【００５９】１ａ  雄型アーム
１ｂ  雌型アーム
２    凸型レバー
３    ヒンジ
４    吸盤
５    スカート
６    押圧板
７    円錐コイルばね
８    突起部
９    把持アーム部
１０  支持板部
１１  プレート部
【図１】
0003199358.tif 000003
【図２】
0003199358.tif 000004
【図３】
0003199358.tif 000005
【図４】
0003199358.tif 000006
【図５】
0003199358.tif 000007
【図６】
0003199358.tif 000008
【図７】
0003199358.tif 000009
【図８】
0003199358.tif 000010
【図９】
0003199358.tif 000011